(57)【要約】【課題】スライド式携帯端末において、操作性の向上を図るとともに薄型化及び小型化を図ること。【解決手段】スライド式携帯端末１００では、第１筐体１１０は、操作キー１１２ａが配設された操作面部１１２を含む上面部１１４を有する。第２筐体１３０は、表示面１３４を有し、第１筐体１１０に対して、上面部１１４上で重なり合う位置から操作面部１１２を外部に露出させる露出位置に移動自在に連結される。スライダ１５４は、第１筐体１１０に、重なり合う位置から露出位置までの方向に沿う直線方向でスライド自在に取り付けられ、第２筐体１３０をスライド面に沿い且つ摺動方向と直交する軸で回動自在に軸支する。第２筐体は、スライダ１５４の直線方向のスライドに伴い第１筐体１１０に設けられた傾斜部１２０に沿って摺動して、第２筐体１３０の表示面１３４は操作面部１１２側に傾斜する。これにより表示面１３４と操作面部１１２との交差面は鈍角となる。【選択図】図１
2010011149.tif 000002
【特許請求の範囲】
【請求項１】
操作キーが配設された操作面を含む一面を有する第１筐体と、表面側に表示部を有し、前記第１筐体に対して、前記一面上で重なり合う位置から前記操作面を外部に露出させる露出位置に移動自在に連結される第２筐体とを備えるスライド式携帯端末であって、
前記第１筐体に、前記重なり合う位置から前記露出位置までの方向に沿う直線方向でスライド自在に取り付けられ、前記第２筐体をスライド面に沿い且つ摺動方向と直交する軸で回動自在に軸支するスライド部材と、
前記第１筐体に設けられ、前記スライド部材の直線方向のスライドに伴い前記第２筐体が摺動し、前記第２筐体の表面を前記操作面側に傾斜させる傾斜部と、
を有することを特徴とするスライド式携帯端末。
【請求項２】
前記第２筐体における背面は、前記第２筐体の表面と平行な面を有する中央背面部と、前記中央背面部において前記第２筐体の移動方向で離間する両端辺部から前記第２筐体の表面において前記移動方向で離間する一端及び他端に向かって前記第２筐体の厚みが漸次薄くなるようにそれぞれ傾斜する一傾斜背面部及び他傾斜背面部とを備え、
前記第１筐体の前記一面は、当該一面上で重なる前記第２筐体の背面形状に対応した形状をなし、
前記スライド部材は、前記第１筐体の一面において前記第２筐体の中央背面部に対応する中央部分に取り付けられたスライドベースに直線方向に摺動自在に取り付けられ、前記第２筐体を軸支する部位を、前記中央部において移動方向側で離間する一端部側及び他端部間で移動可能とし、
前記操作面は、前記中央部の前記一端側の端部から傾斜し、前記一傾斜背面部と対向する部位に形成され、
前記傾斜部は、前記中央部の前記他端側の端部から傾斜し、前記他傾斜背面部と対向する部位として形成され、
前記第２筐体は、前記中央背面部と前記一傾斜背面部との接合部近傍で、前記スライド部材に軸支されていることを特徴とする請求項１記載のスライド式携帯端末。
【請求項３】
前記第１筐体及び第２筐体のうち一方の筐体において他方の筐体と摺動する部位に、摺動方向に転動するローラを設けたことを特徴とする請求項１記載のスライド式携帯端末。
【発明の詳細な説明】
【技術分野】
【０００１】
本発明は、スライド式の携帯端末に関する。
【背景技術】
【０００２】
従来、携帯端末としての携帯電話機では、例えば、特許文献１に示すように、上面に操作キーを設けた送話部としての第１筐体と、上面に表示面を配置した受話部としての第２筐体とをスライド可能に接合したスライド式携帯端末が知られている。
【０００３】
スライド式携帯端末では、第２筐体が第１筐体の上面を覆い第１筐体と完全に重なり合う状態（閉状態）から、第２筐体が第１筐体に対して長手方向へ平行にスライドして第１筐体の上面の操作キーを露出させて操作キーにより入力可能な状態（開状態）となる。
【０００４】
特許文献１の携帯端末では、操作キーにより入力可能な状態（開状態）では、第２筐体が第１筐体に対して第１筐体上で平行にスライドするため、第１筐体の操作キーのある面と、第２筐体の表示面のある上面とが平行となる。よって、ユーザが携帯端末を使用する際には、握持する第１筐体の角度を調整して、第２筐体の表示面に対して見易い角度を維持しつつ、当該第１筐体の操作キーを操作することとなる。このように特許文献１では、第２筐体の表示面を見易くする際には、ユーザにより第１筐体の操作キーのある上面が立てられた状態となり、操作キーが押下しづらくなるという問題がある。
【０００５】
このため、例えば、特許文献２に示すように、スライド式の携帯電話の開状態時において、下筐体の操作キーのある面に対して、上筐体の上面の表示面を傾斜させた位置に位置させる構成が知られている。
【０００６】
この構成では、下筐体の上面部の長手方向に沿う両側辺部の全部位に渡って上向きに湾曲させた棚部が設けられ、下筐体に重ねて配置される上筐体の長手方向に沿う両側辺部の全部位に渡って棚部の形状に合わせて下端を下向きに湾曲させたスカート部が設けられている。
【０００７】
スカート部は下筐体の上面部の両側を挟むように配置され、棚部に沿って摺動可能に系形成されている。このスカート部の内側には、棚部と平行に上向きに湾曲させたガイド溝を設け、このガイド溝には、下筐体に設けられ凸部が摺動自在に挿入されている。
【０００８】
これにより、上筐体は、下筐体に対して当該下筐体の棚部の湾曲面に案内されて、その摺動先端側が水平状態から上方に迫り上がり、下筐体との間で側面略く字状の鈍角を形成し、上筐体の上面は下筐体において操作キーのある上面に対して傾斜した位置となる。
【特許文献１】特開２００３−１２５０５２号公報
【特許文献２】特開２００４−２３５８９７号公報
【発明の開示】
【発明が解決しようとする課題】
【０００９】
しかしながら、下筐体の上面に対して上筐体の上面を傾斜させた位置に移動させる従来のスライド式携帯電話の構成では、下筐体と、下筐体に重なる上筐体とを、側面視して上向きに湾曲したレール（スカート部に相当）を配置するため、レールの下端部から上端部の高さ分、携帯電話自体の厚みが増加する。
【００１０】
また、上記湾曲したレールを用いた構成では、下筐体の上面部の両側辺部を切り欠いて形成された棚部部分に、上筐体におけるスカート部のガイド溝に遊嵌される凸部を設けているため、下筐体の上面部内における実装面積との関係上、下筐体自体の横幅を大きくする必要がある。
【００１１】
このように特許文献１のスライド式携帯電話の構成では、携帯電話などの携帯端末に対する近年の傾向である端末自体の携帯容易性を実現するために、携帯電話自体の薄型化、小型化を図るには困難であるという問題がある。さらに、従来の携帯端末では、使用状態、つまり開状態において上筐体の先端側（後端側）の下面部でスカート部が露出するため、この露出を意匠的に回避したいという要望もある。
【００１２】
本発明はかかる点に鑑みてなされたものであり、操作性の向上を図るとともに薄型化及び小型化を図ることができるスライド式携帯端末を提供することを目的とする。
【課題を解決するための手段】
【００１３】
本発明のスライド式携帯端末は、操作キーが配設された操作面を含む一面を有する第１筐体と、表面側に表示部を有し、前記第１筐体に対して、前記一面上で重なり合う位置から前記操作面を外部に露出させる露出位置に移動自在に連結される第２筐体とを備えるスライド式携帯端末であって、前記第１筐体に、前記重なり合う位置から前記露出位置までの方向に沿う直線方向でスライド自在に取り付けられ、前記第２筐体をスライド面に沿い且つ摺動方向と直交する軸で回動自在に軸支するスライド部材と、前記第１筐体に設けられ、前記スライド部材の直線方向のスライドに伴い前記第２筐体が摺動し、前記第２筐体の表面を前記操作面側に傾斜させる傾斜部とを有する構成を採る。
【発明の効果】
【００１４】
本発明によれば、スライド式携帯端末において、スライド部材の直線方向のスライドに伴い第２筐体が摺動して、第２筐体の表面が前記操作面側に傾斜し、第２筐体の表面と第１筐体の操作面との交差面は鈍角となり、操作性の向上を図るとともに薄型化及び小型化を図ることができる。
【発明を実施するための最良の形態】
【００１５】
以下、本発明の実施の形態について、図面を参照して詳細に説明する。なお、本実施の形態では、スライド式携帯端末を携帯電話機に適用した場合について説明するが、ＰＨＳ、ＰＤＦ等の携帯小型情報端末、ワンセグ対応受像機等の携帯型テレビ受像機、携帯型ゲーム機等に適用してもよい。
【００１６】
図１は、本発明の一実施の形態に係るスライド式携帯端末の要部分解斜視図であり、図２及び図３は、本発明の一実施の形態に係るスライド式携帯端末を示す斜視図である。なお、図２は、スライド式携帯端末において操作キーを使用可能にした状態（開状態）を示す斜視図であり、図３は、同スライド式携帯端末において操作キーを使用不可にした状態（閉状態）を示す斜視図である。図４は、本実施の形態に係るスライド式携帯端末の要部構成を示す図であり、スライド式携帯端末において第２筐体との連結部分の要部断面図である。
【００１７】
なお、本実施の形態において上、下、左、右とは、上記スライド式携帯端末の第１筐体を下とした状態で見た場合の上、下、左、右を意味する。また、本実施の形態において後側は、上記スライド式携帯端末において、摺動する第２筐体が第１筐体を覆う状態の位置からスライド移動する方向側とし、その逆側を前側とする。
【００１８】
図１に示す本実施の形態のスライド式携帯端末１００は、操作キー１１２ａが配列された上面部１１４を有する第１筐体１１０と、スライド機構部１５０を介して第１筐体１１０に対して摺動自在に取り付けられ、表示部１３２を備える第２筐体１３０と、を有する。
【００１９】
このスライド式携帯端末１００では、第２筐体１３０を第１筐体１１０の上面部１１４に重ね合わせた状態において略扁平直方体状であり（図３参照）、第２筐体１３０を第１筐体１１０に対してスライドさせることによって操作キー１１２ａが外部に露出して使用可能状態となる（図２参照）。
【００２０】
この使用可能状態において、スライド式携帯端末１００では、図２に示すように、操作キー１１２ａが設けられた面（上面部１１４の操作面部１１２）に対して、表示部１３２が設けられた第２筐体１３０の上面（表示面）１３４が傾斜した位置に配置される。
【００２１】
図４に示すように、第１筐体１１０内部には、電池１１６、回路基板１１７が収容されている。電池１１６は、第１筐体１１０の底面側に開口する収容部内に収容され、この収容部は、第１筐体の底面の一部を形成する電池蓋１０２により閉塞されている。また、第２筐体１３０には、ＬＣＤ（Liquid Crystal Display）パネル１３２ａ及びＬＣＤユニット１３２ｂを備える表示部１３２が設けられており、第１筐体１１０に対向する面と反対側の面、つまり、上面側を表示面１３４としている。
【００２２】
第１筐体１１０では、図１に示すように、上面部１１４で、第２筐体１３０が上面部１１４に沿って移動自在に重ね合わせられ、この上面部１１４は、上面部１１４の中央部１１８と、中央部１１８においてスライド方向（ここでは長手方向）で離間する両端部のそれぞれから上向きに傾斜する操作面部１１２及び傾斜部１２０とを備える。
【００２３】
操作面部１１２には、操作キー１１２ａが配設された面状をなし、第１筐体１１０において長手方向に延在する中央部１１８より前側の傾斜面となっている。この操作面部１１２と、中央部１１８より後側で傾斜する傾斜部１２０とは、中央部１１８に対して対称に傾斜している。
【００２４】
中央部１１８及び傾斜部１２０は、第１筐体１１０においてスライド方向（ここでは長手方向）に沿って延在する両側壁部１１０ｂ、１１０ｃにおいて中央部分から後端までの上側部分により形成されている。
【００２５】
中央部１１８は、両側壁部１１０ｂ、１１０ｃの上側の中央部分により形成され、上端面をスライド方向と平行な面、ここでは重ねて配置された第２筐体の上面１３４と平行な水平面としている。
【００２６】
また、傾斜部１２０は、ここでは、両側壁部１１０ｂ、１１０ｃのうち、中央部分の部位から上端が上方に傾斜した後端部位によって形成されている。両側壁部１１０ｂ、１１０ｃの後端は、第１筐体１１０の後端面を形成する後端壁部１１０ａの両側縁と直交して接合されている。なお、両側壁部１１０ｂ、１１０ｃ間に面状部材を架設して、当該両側壁部１１０ｂ、１１０ｃ間を閉塞する構成としてもよい。
【００２７】
これら操作面部１１２、中央部１１８及び傾斜部１２０のそれぞれは、長手方向の長さを略同じ長さで形成されており、ここでは、それぞれ第１筐体１１０の全長（長手方向の長さ）の略１／３としている。
【００２８】
このように、操作面部１１２を有する第１筐体１１０における中央部１１８及び傾斜部１２０は、後端壁部１１０ａと両側壁部１１０ｂ、１１０ｃの中央部分から後端側の部位により囲まれてなり、上方に開口した内部を有する形状をなしている。この開口内には、スライド機構部１５０の板状のスライドベース１５２が取り付けられている。ここでは、スライドベース１５２は、第１筐体１１０に、長手方向に延在する中央部１１８の上端辺（両側壁部１１０ｂ、１１０ｃの中央部分）と平行にビス（止着部材）１５３を介して取り付けられている。
【００２９】
スライドベース１５２は、板状のスライダ１５４をスライドベース１５２のベース板の長手方向に沿って直線方向で摺動自在に支持している。このスライダ１５４には、第２筐体１３０が、スライダ１５４のベース板とのスライド面に沿い、且つ、スライダ１５４のスライド方向と直交して配置される軸を中心に回動自在に取り付けられている。なお、スライダ１５４は、スライドベース１５２に対して直線的にスライド自在に取り付けられる構成であればどのように取り付けられても良い。
【００３０】
ここでは、図１及び図４に示すように、スライドベース１５２は、本体部分となるベース板において長手方向に沿う両側辺部に、互いに対向する方向で開口する溝部１５２ａを備える。この溝部１５２ａに、板状のスライダ１５４の両側辺部が、当該溝部１５２ａの延在方向に沿って摺動自在に挿入されている。
【００３１】
スライダ１５４は、第１筐体１１０に、第２筐体が重なり合う位置から移動して、第１筐体１１０の操作面部１１２が露出する露出位置までの方向に沿う直線方向でスライド自在に取り付けられている。このスライダ１５４には、第２筐体１３０が、スライド面（ここではスライドベース１５２との摺動面）に沿い且つ摺動方向と直交する支軸部１５６を介して回動自在に軸支されている。
【００３２】
具体的に、スライダ１５４には、前側の端部に、スライド方向と直交して設けられる支軸部１５６を介して第２筐体１３０を軸支する支軸受け部１５７が立設されている。
【００３３】
本実施の形態では、支軸受け部１５７は、板状のスライダ１５４の前側端部をスライド方向（長手方向）に沿って折曲して略直交させて立ち上がる板状片として形成されている。すなわち、スライダ１５４を、金属板を加工して形成する際に、支軸受け部１５７も一体的に形成している。
【００３４】
このように形成された支軸受け部１５７は、スライダ１５４の移動によってスライドベース１５２の両側辺部より内側で、中央部１１８において操作面部１１２との境界部分１１４ａである前端部と、傾斜部１２０との境界部分１１４ｂである後端部間を直線で移動する。
【００３５】
なお、スライドベース１５２は、中央部１１８及び傾斜部１２０の開口内に配設された構成としたが、長手方向に摺動自在に支持するスライダ１５４において第２筐体１３０を軸支する部位が中央部１１８の前端部と、後端部間を円滑に直線に移動するものであれば、第１筐体１１０にどのように取り付けられてもよい。
【００３６】
スライダ１５４は、スライドベース１５２に対して、付勢部材１６１によって前端側に付勢されている。この付勢部材１６１に抗してスライダ１５４がスライドベース１５２に沿って摺動することによって、支軸受け部１５７は第１筐体１１０の中央部１１８の前端部から後端部、すなわち、第１筐体１１０の上面部１１４における中央部分の領域上をスライド移動する。
【００３７】
ここでは、付勢部材１６１は、一端部をスライドベース１５２にビスによって止着し、他端部をスライダ１５４の後端部側で止着したスライドトグルバネにより形成されている。
【００３８】
また、図１に示すように、スライドベース１５２の前端部及びスライダ１５４の前端部には、切り欠き部１５２ｂ、１５４ｂが形成されている。これら切り欠き部１５２ｂ、１５４ｂ内には、第１筐体１１０内部の回路（図４に示す回路基板１１７等）と、第２筐体１３０の回路（図４に示す回路基板１３６）とを結線する基板、ここでは、ＦＰＣ（Flexible Printed Circuits）１６３が配設される。
【００３９】
ＦＰＣ１６３は、スライダ１５４の移動を阻害することがないように、スライドベース１５２とスライダ１５４のそれぞれの前端部を前側から回り込むように配置されている。
【００４０】
第２筐体１３０の表面である上面（表示面）１３４には、表示面１３４の一部となるＬＣＤパネル１３２ａが配置され、このＬＣＤパネル１３２ａより前端側（基端側）には、十字キーなどのキー１３７ａが配設されている。また、上面１３４においてＬＣＤパネル１３２ａより後端側（先端側）には、スピーカを内側に配置したスピーカ孔１３７ｂやサブカメラ孔１３７ｃが配設されている。
【００４１】
第２筐体１３０は、平面視して第１筐体１１０の外形と同様な外形を有する略扁平板状をなし、第１筐体１１０の上面部１１４に対向する背面部１４０は、第１筐体１１０の上面部１１４に対応して形成されている。
【００４２】
すなわち、第２筐体１３０の背面部１４０は、その中央部分に上面（表示面）１３４と平行で、且つ、第１筐体１１０の中央部１１８と同外形を有する面（中央背面）部１４２を備える。また、背面部１４０は、中央背面部１４２の長手方向で離間する両端辺部から、それぞれ第２筐体１３０の上面（表示面）１３４の基端側及び先端側に向かって傾斜してなる前側背面部１４４及び後側背面部１４６を備える。
【００４３】
このように第２筐体１３０の背面部１４０は、表示面１３４と平行な面を有する中央背面部１４２の両端辺部から前側背面部１４４及び後側背面部１４６が、第２筐体１３０の表面１３４において移動方向で離間する一端（前端部）１３０ｃ及び他端に向かって第２筐体１３０の厚みが漸次薄くなるように傾斜している。
【００４４】
また、前側背面部１４４及び後側背面部１４６はそれぞれ、中央背面部１４２と長手方向の長さを略同一としている。これにより、第２筐体１３０が、第１筐体１１０の真上に位置する際、つまり、スライド式携帯端末１００が閉状態の際には、第１筐体１１０に重なり、スライド式携帯端末１００自体として扁平な直方体状をなす。
【００４５】
第２筐体１３０は、中央背面部１４２において前側背面部１４４に連続する前端部１４２ａの側面部で支軸部１５６を介してスライダ１５４の支軸受け部１５７に軸支されている。すなわち、第２筐体１３０は、中央背面部１４２と前側背面部１４４との接合部近傍で、スライダ１５４の支軸受け部１５７に軸着されている。
【００４６】
この支軸部１５６によって、第２筐体１３０は、スライダ１５４に、スライド方向と水平に直交する方向（ここでは短手方向）に延在する軸心を中心に回動自在となっている。
【００４７】
また、第２筐体１３０の背面部１４０において、第１筐体１１０の上面部１１４を摺動する部位に、第１筐体１１０の上面部１１４に当接して転動するローラ１３９が取り付けられている。ローラ１３９は、第２筐体１３０において、第１筐体１１０の上面部１１４を摺動する際に、上面部１１４の部位と当たる部位であれば、どの位置に配設されてもよい。ここでは、第１筐体１１０の両側壁部１１０ｂ、１１０ｃ上に位置する第２筐体１３０の両側壁部の下端部で下方に望むように設けられている。
【００４８】
図５は、本実施の形態に係るスライド式携帯端末１００において第２筐体１３０へのローラの取付構造を示す要部断面図である。
【００４９】
図５に示すように、本実施の形態のスライド式携帯端末１００では、第２筐体１３０における両側壁部１３０ａの肉厚部分の一部を下方に切り欠いてローラ収容部１３０ｂを形成し、このローラ収容部１３０ｂ内に、ローラ１３９が、支軸部１５６と平行な軸を中心に回転自在に取り付けられている。
【００５０】
なお、図５に示すローラ１３９は、第２筐体１３０において、中央背面部１４２と後側背面部１４６との境界部分１３０ｄの近傍に取り付けられているものを示すが、第２筐体１３０の両側壁部１３０ａにおける前端部１３０ｃに設けられる場合も同様である。つまり、前端部１３０ｃにおける両側壁部内に下端面から臨む回動自在に取り付けられる。
【００５１】
これにより、第２筐体１３０が第１筐体１１０の上面部１１４に沿って摺動する際に、転動して円滑に摺動させることができる。
【００５２】
次いで、上記構成を有するスライド式携帯端末１００において第２筐体１３０を第１筐体１１０に対して摺動させる動作について説明する。
【００５３】
図６〜図８は、本実施の形態に係るスライド式携帯端末１００において第２筐体１３０を第１筐体１１０に対して摺動させる動作の説明に供する要部側面図である。
【００５４】
図６は、図３に示すようにスライド式携帯端末１００において操作キー１１２ａを使用不可にした状態（閉状態）における支軸部１５６、スライダ１５４及びスライドベース１５２の位置関係を示す。
【００５５】
図６に示すように、第２筐体１３０が第１筐体１１０に重なる状態では、第１筐体１１０の操作面部１１２、中央部１１８及び傾斜部１２０のそれぞれに対向して、第２筐体１３０の前側背面部１４４、中央背面部１４２及び後側背面部１４６が配置されている。
【００５６】
つまり、操作キー１１２ａが配設された操作面部１１２は、第２筐体１３０の前側背面部１４４により覆われているため、外部に露出せず使用不可状態となっている。
【００５７】
この状態のスライド式携帯端末１００において、第２筐体１３０を第１筐体１１０に対して長手方向後側（矢印方向）に押圧すると、第２筐体１３０と支軸部１５６を介して連結されたスライダ１５４がスライドベース１５２上を直線的に後方に移動する。これに伴い第２筐体１３０は、第１筐体１１０の上面部１１４に沿って摺動して長手方向後側に移動する（図７参照）。また、第２筐体１３０の回路基板１３６（図４参照）と第１筐体１１０の回路基板１１７（図４参照）とを結線するＦＰＣ１６３は、第２筐体１３０の移動に追従して変形する。
【００５８】
このとき、第２筐体１３０には、第１筐体１１０との接触部位に、ローラ１３９が配設されているため、ローラ１３９が第１筐体１１０の上面部１１４に沿って転動することにより第２筐体１３０は第１筐体１１０に沿って円滑に移動する。
【００５９】
具体的には、第２筐体１３０の前端部１３０ｃ側に配置されたローラ１３９は、操作面部１１２の両側縁部上を移動し、中央背面部１４２と後側背面部１４６との境界部分１３０ｄに近接して配置されたローラ１３９は、第１筐体１１０の傾斜部１２０上（詳細には傾斜部１２０を形成する両側壁部１１０ｂ、１１０ｃの後端部位の上面上）を移動する。
【００６０】
このように第２筐体１３０が第１筐体１１０の上面部１１４に沿って後方に移動すると、中央背面部１４２は、第１筐体１１０の傾斜部１２０上を後方に移動する。これにより、第２筐体１３０の上面（表示面）１３４は、第１筐体１１０の中央部１１８と平行な状態から、当該中央部１１８に対して傾斜していく。
【００６１】
支軸受け部１５７が第１筐体１１０の中央部１１８において後端部（中央部１１８と傾斜部１２０との境界部分１１４ｂ）まで移動すると、図８に示すように、第２筐体１３０の中央背面部１４２は、傾斜部１２０上に配置される。なお、第２筐体１３０の前端部１３０ｃ側に配置されたローラ１３９は、操作面部１１２の両側縁部上から両側壁部１１０ｂ、１１０ｃの前側端部上まで移動する。
【００６２】
このとき、第２筐体１３０の表示面である上面１３４は、第１筐体１１０の中央部１１８に対して中央背面部１４２と同じ角度で傾斜した状態となる。
【００６３】
また、図８に示す状態では、第１筐体１１０の中央部１１８上には、第２筐体１３０の前側背面部１４４が配置され、第１筐体１１０の操作面部１１２が外部に露出する。つまり、スライド式携帯端末１００は、図２に示す開状態、言い換えれば、操作キー１１２ａ使用可能状態となる。
【００６４】
操作キー１１２ａを使用可能な状態では、第２筐体１３０の上面（表示面を含む表面）１３４の前端部１３０ｃは、第２筐体１３０において上面１３４と中央背面部１４２との間の厚みより薄いため、第２筐体１３０の上面１３４は、第１筐体１１０の操作面部１１２に対して、略段差がない状態で傾斜する位置に配置される。ここでは、上面１３４と、外部に露出した第１筐体１１０の操作面部１１２との交差面は鈍角となる。
【００６５】
また、スライド式携帯端末１００の開状態において、第２筐体１３０の後端側は、第１筐体１１０の後端部（具体的には後端側壁部１１０ａ）から後方に張り出す位置、つまりオーバーハングした位置に配置され、後側背面部１４６は外部に露出した状態となる。
【００６６】
このように構成されたスライド式携帯端末１００によれば、第１筐体１１０と第２筐体１３０のうちの一方に固定されたスライドベース１５２に対して直線的にスライド移動するスライダ１５４に、他方をスライド面に沿うとともにスライド面と直交する軸で回動自在に取り付けて連結している。そして、他方を一方に対して、一方の摺動部分の形状に沿って摺動させることによって、第１筐体１１０の操作キー１１２ａのある面に対して、第２筐体１３０の表示面を傾斜させた位置に位置させている。
【００６７】
よって、従来のように、下筐体の上面に対して上筐体の上面を傾斜させた位置に移動させる際に、下筐体と、下筐体に重なる上筐体のそれぞれを、側面視して両筐体の長手方向全域に渡って上向きに湾曲したレールを用いて連結する必要がない。これにより、レールの下端部から上端部の高さ分、携帯電話自体の厚み（セット厚）が増加することがなく、薄型化を図ることができる。
【００６８】
また、製造する際に高い精度が必要な湾曲したレールを用いる必要がないため、製作コストの削減を図ることができる。
【００６９】
また、相対的に直線的にスライドさせるスライドベース１５２とスライダ１５４とを用いるため、直線方向に相対的に移動する既存のスライダ１５４及びスライドベース１５２を加工して用いることができ、新たに、湾曲したレールを用意する必要がなく製作コストの削減を図ることができる。
【００７０】
また、下筐体の上面部の両側辺部を切り欠いて棚部を形成して、上筐体におけるスカート部のガイド溝に遊嵌される凸部を設ける必要がなく、下筐体自体の横幅を大きくする必要がない。
【００７１】
このように本実施の形態によれば、湾曲したレールを用いることなく、直線的に相対移動させる構造のスライド機構部１５０を用いたシンプルな構成で、第１筐体１１０の操作面部１１２と、第２筐体１３０の上面１３４とを所定の角度（ここでは鈍角）で位置させた状態にできる。よって、操作性の向上を図るとともに薄型化及び小型化を図ることができるスライド式携帯端末を実現できる。
【００７２】
また、スライド式携帯端末１００を携帯電話としているため、通話時では、スピーカが設けられた第２筐体１３０の上端部と、マイクが設けられた第１筐体１１０の下端部とがユーザの耳、口のそれぞれに対して近い位置に配置させることができる。
【００７３】
さらに、スライド式携帯端末１００によれば、開状態時において、第１筐体１１０に対して第２筐体１３０の支点となる支軸部１５６は、第１筐体１１０の中央部１１８と傾斜部１２０との境界部分１１４ｂの近傍に配置される。また、開状態時では、第１筐体１１０における中央部１１８の前端部（中央部１１８と操作面部１１２との境界部分１１４ａ）上に第２筐体１３０の前端部１３０ｃが位置する。更に、開状態時では、傾斜部１２０の後端部（後端壁部１１０ａ）上に第２筐体１３０の中央背面部１４２の後端部（中央背面部１４２と後側背面部１４６との境界部分）が位置する。
【００７４】
これにより、開状態のスライド式携帯端末１００の使用時において、ユーザにより第２筐体１３０に上面側から荷重が加わる場合、側面視して、第１筐体１１０に対して、支点となる支軸部１５６が位置する部位（中央部の後端部近傍）から長手方向に略等間隔離れた位置までの間で、作用点又は力点が位置することとなる。よって、開状態時におけるスライド式携帯端末１００では、第１筐体１１０は、第２筐体１３０に加わる荷重を安定して受けることができる。
【００７５】
スライド式携帯端末１００では、第２筐体１３０は第１筐体１１０に対してスライド機構部１５０を介してスライド移動の際に外部に露出しない第１筐体１１０の中央部１１８の領域でのみ連結されている。また、支軸受け部１５７は、スライダ１５４から立ち上がる板状片により形成されており、スライド方向（長手方向）の幅で第２筐体１３０を回動自在に連結している。
【００７６】
このため、スライド式携帯端末１００は、第２筐体１３０をスライドさせて操作キー１１２ａを外部に露出させた開状態にしても、第１筐体１１０と第２筐体１３０との連結部分の構造が外部に露出することがなく、従来と比較して、意匠的にも優れ、見栄えがよい。
【００７７】
以上、本発明の一実施の形態について説明した。本発明に係るスライド式携帯端末１００は上記各実施の形態に限定されず、種々変更して実施することが可能である。
【００７８】
なお、傾斜部１２０は、第１筐体１１０において第２筐体１３０のスライド方向（長手方向）に延在する両側壁部１１０ｂ、１１０ｃの後端部分により構成したが、摺動する第２筐体１３０の中央背面部１４２を中央部１１８に対して傾斜する位置に案内するものであればどのように形成してもよい。すなわち、第１筐体１１０の後側部分において、移動する第２筐体１３０の中央背面部１４２が摺動する傾斜部をどのように設けても良い。
【産業上の利用可能性】
【００７９】
本発明に係るスライド式携帯端末は、操作性の向上を図るとともに薄型化及び小型化を図ることができる効果を有し、表示部と操作部とを別の筐体に設け、これら筐体をスライド自在に連結させた携帯電話等の電子機器として有用である。
【図面の簡単な説明】
【００８０】
【図１】本発明の一実施の形態に係るスライド式携帯端末の要部分解斜視図
【図２】本発明の一実施の形態に係るスライド式携帯端末を示す斜視図
【図３】本発明の一実施の形態に係るスライド式携帯端末を示す斜視図
【図４】本実施の形態に係るスライド式携帯端末の要部構成を示す図
【図５】本実施の形態に係るスライド式携帯端末において第２筐体へのローラの取付構造を示す要部断面図
【図６】本実施の形態に係るスライド式携帯端末において第２筐体を第１筐体に対して摺動させる動作の説明に供する要部側面図
【図７】本実施の形態に係るスライド式携帯端末において第２筐体を第１筐体に対して摺動させる動作の説明に供する要部側面図
【図８】本実施の形態に係るスライド式携帯端末において第２筐体を第１筐体に対して摺動させる動作の説明に供する要部側面図
【符号の説明】
【００８１】
１００  スライド式携帯端末
１１０  第１筐体
１１２  操作面部
１１２ａ  操作キー
１１４  上面部
１１８  中央部
１３０  第２筐体
１３０ｃ  第２筐体の前端部
１３４  表示面
１４０  第２筐体の背面部
１４２  中央背面部
１４４  前側背面部
１４６  後側背面部
１５２  スライドベース
１５４  スライダ
１５６  支軸部
【図１】
2010011149.tif 000003
【図２】
2010011149.tif 000004
【図３】
2010011149.tif 000005
【図４】
2010011149.tif 000006
【図５】
2010011149.tif 000007
【図６】
2010011149.tif 000008
【図７】
2010011149.tif 000009
【図８】
2010011149.tif 000010